(57)【要約】【課題】携帯端末を安定して装着することができる装着装置を提供する。【解決手段】  携帯端末２の長手方向Ｙ１の中心位置に接触する上アーム５と、携帯端末２の長手方向Ｙ１の両端位置にそれぞれ接触する左右アーム６、７と、を有し、上アーム５及び左右アーム６、７が、略二等辺三角形の頂点となる位置に配置される。また、左右アーム６、７が、互いに近づく方向に移動可能に構成され、上アーム５が、左右アーム６、７が互いに近づくと左右アーム６、７に近づく方向に移動するように構成される。【選択図】図１
2014131192.tif 000002
【特許請求の範囲】
【請求項１】
矩形状の携帯端末を装着する装着装置であって、
前記携帯端末の一辺に沿った方向の中心位置に接触する中心接触部と、
前記携帯端末の前記一辺に沿った方向の両端位置にそれぞれ接触する一対の両端接触部と、を有し、
前記中心接触部及び前記一対の両端接触部が、略二等辺三角形の頂点となる位置に配置される
ことを特徴とする装着装置。
【請求項２】
前記一対の両端接触部が、互いに近づく方向に移動可能に構成され、
前記中心接触部が、前記一対の両端接触部が互いに近づくと前記一対の両端接触部に近づく方向に移動するように構成されている
ことを特徴とする請求項１に記載の装着装置。
【請求項３】
前記中心接触部は、前記一対の両端接触部に向かって各々突出する一対の第１スライド部を有し、
前記一対の両端接触部は各々、前記中心接触部に向かって突出する第２スライド部と、他方の両端接触部に向かって突出する第３スライド部と、を有し、
前記一対の第１スライド部の各々と、前記一対の両端接触部の第２スライド部と、がその突出方向に沿ってスライド自在に取り付けられ、
前記一対の両端接触部の第３スライド部同士が、その突出方向に沿ってスライド自在に取り付けられている
ことを特徴とする請求項１又は２に記載の装着装置。
【請求項４】
前記中心接触部及び前記一対の両端接触部が、前記携帯端末の他辺に沿った方向の両端位置にそれぞれ接触するように設けられている
ことを特徴とする請求項１〜３何れか１項に記載の装着装置。
【請求項５】
前記中心接触部が、前記携帯端末を前記一対の両端接触部に向かう方向に付勢するように設けられている
ことを特徴とする請求項４に記載の装着装置。
【請求項６】
前記中心接触部が、前記他辺に沿った方向に貫通する貫通孔が設けられた基部と、前記基部の貫通孔に挿入される接触部本体と、前記基部と前記接触部本体との間に設けられた弾性部材と、から構成されている
ことを特徴とする請求項５に記載の装着装置。
【発明の詳細な説明】
【技術分野】
【０００１】
本発明は、装着装置に関するものである。
【背景技術】
【０００２】
携帯電話などの携帯端末を装着する装着装置としては、例えば特許文献１に記載されたクレイドル装置が提案されている。このクレイドル装置は、クレイドルボディに携帯端末の下端部が挿入される凹状の装着部が設けられている。しかしながら、このクレイドル装置では、携帯端末の下端部しか支持していないため、車両内に設置するものとしては安定感が欠ける。
【先行技術文献】
【特許文献】
【０００３】
【特許文献１】特開２００４−２３５９６４号公報
【発明の概要】
【発明が解決しようとする課題】
【０００４】
本発明が解決しようとする課題としては、携帯端末を安定して装着することができない、という問題が一例として挙げられる。
【課題を解決するための手段】
【０００５】
上記課題を解決するために、請求項１に記載された装着装置は、矩形状の携帯端末を装着する装着装置であって、前記携帯端末の一辺に沿った方向の中心位置に接触する中心接触部と、前記携帯端末の前記一辺に沿った方向の両端位置にそれぞれ接触する一対の両端接触部と、を有し、前記中心接触部及び前記一対の両端接触部が、略二等辺三角形の頂点となる位置に配置されることを特徴とする。
【図面の簡単な説明】
【０００６】
【図１】本発明の装着装置としてのクレイドルの一実施例を示す正面側斜視図である。
【図２】図１に示すクレイドルの背面側斜視図である。
【図３】図１に示す一対の両端接触部を互いに近づけた状態を示す斜視図である。
【発明を実施するための形態】
【０００７】
以下、本発明の一実施形態にかかる装着装置を説明する。装着装置は、矩形状の携帯端末を装着する装着装置であって、携帯端末の一辺に沿った方向の中心位置に接触する中心接触部と、携帯端末の一辺に沿った方向の両端位置にそれぞれ接触する一対の両端接触部と、を有し、前記中心接触部及び前記一対の両端接触部が、略二等辺三角形の頂点となる位置に配置される。
【０００８】
これにより、携帯端末を装着すると携帯端末が中心接触部及び一対の両端接触部により３点支持されるため、安定して装着することができる。
【０００９】
また、一対の両端接触部が、互いに近づく方向に移動可能に構成され、中心接触部が、一対の両端接触部が互いに近づくと一対の両端接触部に近づく方向に移動するように構成されるようにしてもよい。
【００１０】
これにより、中心接触部及び一対の両端接触部を装着される携帯端末の大きさに合わせて配置することができ、より安定して装着することができる。しかも、一対の両端接触部が互いに近づくと自動的に中心接触部が一対の両端接触部に近づくので、中心接触部及び一対の両端接触部の位置調整を簡単に行うことができる。
【００１１】
また、中心接触部は、一対の両端接触部に向かって各々突出する一対の第１スライド部を有し、一対の両端接触部は各々、中心接触部に向かって突出する第２スライド部と、他方の両端接触部に向かって突出する第３スライド部と、を有し、一対の第１スライド部の各々と、一対の両端接触部の第２スライド部と、がその突出方向に沿ってスライド自在に取り付けられ、一対の両端接触部の第３スライド部同士が、その突出方向に沿ってスライド自在に取り付けられているようにしてもよい。
【００１２】
これにより、簡単な構成で、一対の両端接触部を互いに近づく方向に移動可能に構成すると共に、中心接触部が、一対の両端接触部が互いに近づくと一対の両端接触部に近づく方向に移動するように構成することができる。
【００１３】
また、中心接触部及び一対の両端接触部が、携帯端末の他辺に沿った方向の両端位置にそれぞれ接触するように設けられていてもよい。これにより、携帯端末の一辺に沿った方向の両端位置と他辺に沿った方向の両端位置とに接触して支持することができ、より安定して装着することができる。
【００１４】
また、中心接触部が、携帯端末を一対の両端接触部に向かう方向に付勢するように設けてもよい。これにより、振動や衝撃が携帯端末にかかっても外れないようにすることができる。
【００１５】
また、中心接触部が、他辺に沿った方向に貫通する貫通孔が設けられた基部と、基部の貫通孔に貫通して設けられた接触部本体と、基部と接触部本体との間に設けられた弾性部材と、から構成されるようにしてもよい。これにより、簡単に、中心接触部が携帯端末を一対の両端接触部に向かう方向に付勢するように設けることができる。
【実施例】
【００１６】
次に、上述した装着装置の実施例について、図１〜図３を参照して説明する。同図に示すように、装着装置としてのクレイドル１は、スマートフォンなどの携帯端末２を車両の例えばダッシュボードに取り付けるための装置である。上記携帯端末２は、矩形状の筐体内にコンピュータが内蔵され、その正面に操作部と表示部を兼ねたタッチパネルが設けられた端末である。クレイドル１は、この携帯端末２の長手方向Ｙ１が左右方向に沿い、短手方向Ｙ２が上下方向に沿うように装着する。
【００１７】
上記クレイドル１は、携帯端末２が装着されるホルダ部３と、車両のダッシュボードに取り付けられると共にホルダ部３を支持する吸盤ユニット部４と、を備えている。ホルダ部３は、携帯端末２の長手方向Ｙ１（＝一辺に沿った方向）の中心位置に接触する中心接触部としての上アーム５と、携帯端末２の長手方向Ｙ１の両端位置にそれぞれ接触する一対の両端接触部としての左アーム６、右アーム７と、を有している。
【００１８】
これら上アーム５及び左右アーム６、７は、略二等辺三角形の頂点となる位置に配置されている。詳しく説明すると、上アーム５は、二等辺三角形の２つの等辺が交わる頂点に位置するように配置され、左右アーム６、７はそれぞれ、二等辺三角形の底辺と等辺とが交わる頂点に位置するように配置される。また、本実施例では、上アーム５及び左右アーム６、７が、携帯端末２の短手方向Ｙ２の両端側にもそれぞれ接触するように設けられている。なお、以下説明を簡単にするため、短手方向Ｙ２の上アーム５側を上、左右アーム６、７側を下とし、長手方向Ｙ１の左アーム６側を左、右アーム７側を右として説明する。
【００１９】
上記上アーム５は、携帯端末２の短手方向Ｙ２（＝他辺に沿った方向）に貫通する貫通孔５１Ａが設けられた基部としてのボディ５１と、ボディ５１の貫通孔５１Ａに挿入される接触部本体としてのアーム本体５２と、ボディ５１とアーム本体５２との間に設けられた弾性部材としてのアームバネ５３と、から構成されている。
【００２０】
ボディ５１は、携帯端末２の背面に接触して支持するボディ本体５１Ｂと、ボディ本体５１Ｂから左右アーム６、７に向かって各々突出する一対の第１スライド部５１Ｃ、５１Ｄと、を有している。ボディ本体５１Ｂに上記貫通孔５１Ａが設けられている。第１スライド部５１Ｃ、５１Ｄは各々、棒状に設けられ、互いに９０度の角度を成すように突出している。
【００２１】
アーム本体５２は、挿入部５２Ａと、バネ支持部５２Ｂと、端末接触部５２Ｃと、を有している。挿入部５２Ａは、板状に設けられ、ボディ本体５１Ｂに設けられた貫通孔５１Ａに挿入され、ボディ本体５１Ｂに対して短手方向Ｙ２にスライド可能に設けられている。挿入部５２Ａは、その上端がボディ本体５１Ｂよりも上方に突出し、その下端がボディ本体５１Ｂよりも下方に突出して設けられている。
【００２２】
バネ支持部５２Ｂは、挿入部５２Ａの下端から背面側に突出して設けられ、ボディ本体５１Ｂとの間にアームバネ５３を挟んで支持する。端末接触部５２Ｃは、挿入部５２Ａの上端から正面側に突出して設けられ、携帯端末２の短手方向Ｙ２の端部に接触する。端末接触部５２Ｃには、その正面側端部から下垂した係止部５２Ｄが設けれ、この係止部５２Ｄが携帯端末２の正面に係止する。
【００２３】
アームバネ５３は、コイル状に設けられ、ボディ本体５１Ｂとバネ支持部５２Ｂとの間に設けられ、互いを離す方向に付勢する。これにより、アーム本体５２が下方に付勢され、携帯端末２を左右アーム６、７に向かう方向に付勢する。
【００２４】
上記左アーム６は、携帯端末２の左下の背面に接触して支持するボディ６１と、ボディ６１の下端から正面に向かって突出した、携帯端末２の下端に接触する接触部６２と、ボディ６１の左端から正面に向かって突出した、携帯端末２の左端に接触する接触部６３と、を備えている。接触部６２の正面には上方に突出する係止部６６が設けられ、この係止部６６が携帯端末２の正面に係止する。また、上記左アーム６は、ボディ６１から上アーム５に向かって突出する第２スライド部６４と、ボディ６１から右アーム７に向かって突出する第３スライド部６５と、とを備えている。
【００２５】
第２スライド部６４は、円筒状に設けられ、その内部に上アーム５の第１スライド部５１Ｃが嵌合されることにより、突出方向に沿ってスライド自在に取り付けられる。第３スライド部６５は、棒状に形成され、図示しないネジ孔が形成される。
【００２６】
上記右アーム７は、携帯端末２の右下の背面に接触して支持するボディ７１と、ボディ７１の下端から正面に向かって突出した、携帯端末２の下端に接触する接触部７２と、ボディ７１の右端から正面に向かって突出した、携帯端末２の右端に接触する接触部７３と、を備えている。接触部７２の正面には上方に突出する係止部７６が設けられ、その係止部７６が携帯端末２の正面に係止する。また、上記右アーム７は、ボディ６１から上アーム５に向かって突出する第２スライド部７４と、ボディ６１から左アーム６に向かって突出する第３スライド部７５と、を有している。
【００２７】
第２スライド部７４は、円筒状に設けられ、その内部に上アーム５の第１スライド部５１Ｄが嵌合されることにより、突出方向に沿ってスライド自在に取り付けられる。第３スライド部７５は、円筒状に設けられ、その内部に左アーム６の第３スライド部６５が嵌合され、突出方向に沿ってスライド自在に取り付けられている。この左右アーム６、７にそれぞれ設けた第３スライド部６５、７５同士の嵌合により、左右アーム６、７が互いに近づく方向に移動可能に構成される。また、第１スライド部５１Ｃ、５１Ｄと第２スライド部６４、７４との嵌合により、左右アーム６、７が互いに近づくと上アーム５が左右アーム６、７から離れる方向に移動するように構成される。
【００２８】
また、上記右アーム７の第３スライド部７５には長手方向Ｙ１に沿った図示しない長孔が設けられている。この図示しない長孔は、図３に示すように左アーム６と右アーム７とが最も近づいた位置から左アーム６と右アーム７とが最も離れた位置にわたって第３スライド部６５に設けた図示しないネジ孔が露出するように設けられている。そして、アームロックネジ８を右アーム７の第３スライド部７５に設けた図示しない長孔に挿入し、左アーム６の第３スライド部６５に設けた図示しないネジ孔に螺合することにより、第３スライド部６５、７５同士を固定することができる。
【００２９】
吸盤ユニット部４は、ベース９と、ベース９に対して上下方向にスライド自在に取り付けられたアーム部１０と、アーム部１０上端とボディ本体５１Ｂの背面とを連結する連結部１１と、を有している。ベース９は、クレイドル１を車両に取り付ける際の土台として機能する。ベース９の下面には吸盤が設けられ、ベース９はその吸盤により車両のダッシュボードなどに固定される。
【００３０】
ベース９には、上方に突出する筒状のベースアーム９１が設けられ、このベースアーム９１内にアーム部１０が嵌合される。これにより、アーム部１０が上下方向にスライド自在に設けられ、ホルダ部３の上下方向の位置を調整することができる。アーム部１０の上端には、前後方向に沿った溝１０Ａが設けられ、その溝１０Ａ内に連結部１１の一端が挿入されている。連結部１１の一端は、長手方向Ｙ１に沿った軸周りに回転可能に取り付けられ、他端はボディ本体５１Ｂに取り付けられている。これにより、ホルダ部３の角度を調整することができる。
【００３１】
上述したクレイドル１に携帯端末２を装着すると、上アーム５及び左右アーム６、７が略正三角形の頂点となる位置関係において同時に接触した状態となる。さらに詳しく説明すると、携帯端末２の長手方向Ｙ１が左右アーム６、７の接触部６３、７３間に位置付けられて保持される。また、短手方向Ｙ２が上アーム５の接触部５２Ｃと左右アーム６、７の接触部６２、７２との間に位置付けられて保持される。また、前後方向が上アーム５のボディ本体５１Ｂ、左右アーム６、７のボディ６１、７１と、上アーム５の係止部５２Ｄ、左右アーム６、７の係止部６６、７６、との間に位置付けられて保持される。
【００３２】
上述した実施例によれば、上アーム５及び左右アーム６、７が、略二等辺三角形の頂点となる位置に配置される。これにより、クレイドル１に携帯端末２を装着すると携帯端末２が上アーム５及び左右アーム６、７により３点支持されるため、安定して装着することができる。
【００３３】
また、上述した実施例によれば、左右アーム６、７が、互いに近づく方向に移動可能に構成され、上アーム５が、左右アーム６、７が互いに近づくと一対の左右アーム６、７に近づく方向に移動するように構成されている。これにより、上アーム５及び左右アーム６、７を装着される携帯端末２の大きさに合わせて配置することができ、より安定して装着することができる。しかも、小さめの携帯端末２を装着するときは図３に示すように左右アーム６、７を互いに近づけると、自動的に上アーム５が降りてくる。大きめの携帯端末２を装着するときは図１に示すように左右アーム６、７を互いに離すと、自動的に上アーム５が上方に移動するので、上アーム５及び左右アーム６、７の位置調整も簡単に行うことができる。
【００３４】
また、上述した実施例によれば、左右アーム６、７を近づけたり離したりしても上アーム５及び左右アーム６、７が二等辺三角形の頂点に配置される位置関係を保っている。これにより、携帯端末２の縦横比はおよそ２：１であるので、左右アーム６、７間の距離を携帯端末２の長手方向Ｙ１に合わせて調整すれば、上アーム５と左右アーム６、７との距離が携帯端末２の短手方向Ｙ２に自動的に合う。
【００３５】
また、上述した実施例によれば、上アーム５は、左右アーム６、７に向かって各々突出する一対の第１スライド部５１Ｃ、５１Ｄを有し、左右アーム６、７は各々、上アーム５に向かって突出する第２スライド部６４、７４と、他方の左右アーム６、７に向かって突出する第３スライド部６５、７５と、を有し、一対の第１スライド部５１Ｃ、５１Ｄの各々と、左右アーム６、７の第２スライド部６４、７４と、がその突出方向に沿ってスライド自在に取り付けられ、左右アーム６、７の第３スライド部６５、７５同士が、その突出方向に沿ってスライド自在に取り付けられている。
【００３６】
これにより、簡単な構成で、左右アーム６、７を互いに近づく方向に移動可能に構成すると共に、上アーム５が、左右アーム６、７が互いに近づくと左右アーム６、７に近づく方向に移動するように構成することができる。また、簡単な構成で、左右アーム６、７を近づけたり離したりしても上アーム５及び左右アーム６、７が二等辺三角形の頂点に配置される位置関係を保つことができる。
【００３７】
また、上述した実施例によれば、上アーム５及び左右アーム６、７が、携帯端末２の短手方向Ｙ２の両端位置にそれぞれ接触するように設けられている。これにより、携帯端末２の長手方向Ｙ１の両端位置と短手方向Ｙ２の両端位置とに接触して支持することができ、より安定して装着することができる。
【００３８】
また、上述した実施例によれば、上アーム５が、携帯端末２を左右アーム６、７に向かう方向に付勢するように設けられている。これにより、振動や衝撃が携帯端末２にかかっても外れないようにすることができる。また、本実施例では、携帯端末２の大きさに合わせて左右アーム６、７の距離と、上アーム５及び左右アーム６、７の距離が調整できるので、携帯端末２の大きさに関係なく一定の付勢力を与えることができ、付勢力が強くなりすぎて操作性が悪くなったり、弱くなって振動などで落下してしまうことがない。
【００３９】
また、上述した実施例によれば、上アーム５が、短手方向Ｙ２に貫通する貫通孔５１Ａが設けられたボディ５１と、ボディ５１の貫通孔５１Ａに貫通して設けられたアーム本体５２と、ボディ５１とアーム本体５２との間に設けられたアームバネ５３と、から構成されている。これにより、簡単に、上アーム５が携帯端末２を左右アーム６、７に向かう方向に付勢するように設けることができる。
【００４０】
なお、上述した実施例によれば、上アーム５と左右アーム６、７とは可動に設けられていたが、本発明はこれに限ったものではない。上アーム５と左右アーム６、７とは３点支持できればよく、可動でなく固定されていてもよい。
【００４１】
また、上述した実施例によれば、左右アーム６、７を互いに近づけると、これに連動して上アーム５が下降して左右アーム６、７に近づくように設けられていたが、本発明はこれに限ったものではない。左右アーム６、７間の距離と、左右アーム６、７と上アーム５との距離が別々に調整できるようにしてもよい。
【００４２】
また、上述した実施例では、第１スライド部５１Ｃ、５１Ｄ及び第３スライド部６５を棒状に設け、第２スライド部６４、７４、第３スライド部７５を円筒状に設けていたが、本発明はこれに限ったものではない。これらスライド部は、互いにスライド自在に取り付けられるような構成であればよく、他の周知な構成であってもよい。
【００４３】
また、上述した実施例では、上アーム５及び左右アーム６、７が携帯端末２の短手方向Ｙ２の両端位置にそれぞれ接触するように設けられていたが、本発明はこれに限ったものではない。例えば、上アーム５にアーム本体５２を設けず、ボディ５１により携帯端末２の背面に接触するだけで、上アーム５及び左右アーム６、７によって携帯端末２の短手方向Ｙ２両側位置に接触しないようにしてもよい。
【００４４】
また、上述した実施例では、上アーム５が、携帯端末２を左右アーム６、７に向かう方向に付勢するように設けられていたが、本発明はこれに限ったものではない。例えば、アーム本体５２をボディ５１に固定して設けて、付勢力が得られないようにしてもよい。
【００４５】
また、上述した実施例では、中心接触部としての上アーム５が左右アーム６、７の上方に位置していたが、本発明はこれに限ったものではない。中心接触部を左右アーム６、７の下方に位置するように設けても良い。
【００４６】
また、上述した実施例では、携帯端末２の長手方向Ｙ１が左右方向に沿い、短手方向Ｙ２が上下方向に沿うように装着していたが、本発明はこれに限ったものではない。例えば、携帯端末２の長手方向Ｙ１が上下方向に沿い、短手方向Ｙ２が左右方向に沿うように装着してもよい。この場合、上アーム５は携帯端末２の短手方向Ｙ２の中心位置に接触し、左右アーム６、７は携帯端末２の短手方向Ｙ２の両端位置にそれぞれ接触するように設けられる。
【００４７】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００４８】
１  クレイドル（装着装置）
２  携帯端末
５  上アーム（中心接触部）
６  左アーム（両端接触部）
７  右アーム（両端接触部）
５１  ボディ（基部）
５１Ａ  貫通孔
５１Ｃ  第１スライド部
５１Ｄ  第１スライド部
５２  アーム本体（接触部本体）
５３  アームバネ（弾性部材）
６４  第２スライド部
６５  第３スライド部
７４  第２スライド部
７５  第３スライド部
Ｙ１  長手方向（一辺に沿った方向）
Ｙ２  短手方向（他辺に沿った方向）
【図１】
2014131192.tif 000003
【図２】
2014131192.tif 000004
【図３】
2014131192.tif 000005